(57)【要約】【課題】画像データの記録元の記録媒体を簡単に判別することができる管理プログラムの提供。【解決手段】記録媒体に記録された複数の画像データを記録媒体単位でハードディスクなどの記録手段に保存、管理する管理プログラムにおいて、コンピュータを、記録媒体に記録されている画像データと該画像データが記録されている記録媒体の識別情報又はタイトルの少なくとも一方とを対応付けて記録手段に記録又は表示手段に表示させる手段として機能させるものであり、識別情報又はタイトルの少なくとも一方を用いて、管理プログラムにより登録されている画像データの記録元の記録媒体を簡単に判別することができるため、その記録媒体を用いて写真プリントを作成したり、その記録媒体から再度画像データを読み取る際の作業性を格段に向上させることができる。【選択図】図１１
2006005917.tif 000002
【特許請求の範囲】
【請求項１】
記録媒体に記録された画像データを管理する管理プログラムであって、
コンピュータを、
前記記録媒体に記録されている画像データと前記記録媒体の識別情報と前記記録媒体に対応するタイトルとを対応付けて、特定の記録手段に記録させる手段、
前記特定の記録手段に記録されている前記画像データに基づく画像を表示手段に表示させる際に、前記画像データに対応付けられた前記識別情報と前記タイトルとを前記表示手段に表示させる手段、として機能させることを特徴とする管理プログラム。
【請求項２】
記録媒体に記録された画像データを管理する管理プログラムであって、
コンピュータを、
前記記録媒体に記録されている画像データと前記記録媒体の識別情報とを対応付けて、特定の記録手段に記録させる手段、
前記特定の記録手段に記録されている前記画像データに基づく画像を表示手段に表示させる際に、前記画像データに対応付けられた前記識別情報を、他の記録媒体に対応付けて記録された他の識別情報と識別可能に前記表示手段に表示させる手段、として機能させることを特徴とする管理プログラム。
【請求項３】
前記識別情報は主要部分と付属部分とからなり、
現在表示されている画像の基となる前記画像データに対応付けられた前記識別情報に対しては、前記主要部分と前記付属部分とを表示させ、前記他の識別情報に対しては、前記主要部分のみを表示させることを特徴とする請求項２記載の管理プログラム。
【請求項４】
記録媒体に記録された画像データを管理する管理プログラムであって、
コンピュータを、
前記記録媒体に記録されている画像データと前記記録媒体に対応するタイトルとを対応付けて、特定の記録手段に記録させる手段、
前記特定の記録手段に記録されている前記画像データに基づく画像を表示手段に表示させる際に、前記画像データに対応付けられた前記タイトルを、他の記録媒体に対応付けて記録された他のタイトルと識別可能に前記表示手段に表示させる手段、として機能させることを特徴とする管理プログラム。
【請求項５】
現在表示されている画像の基となる前記画像データに対応付けられた前記タイトルに対しては、その全てを表示させ、前記他のタイトルに対しては、その一部の文字列を省略して表示させることを特徴とする請求項４記載の管理プログラム。
【請求項６】
記録媒体に記録された画像データを管理する管理装置であって、
前記記録媒体から前記画像データと前記記録媒体の識別情報と前記記録媒体に対応するタイトルとを読み取る手段と、
前記画像データと前記識別情報と前記タイトルとを対応付けて、特定の記録手段に記録させる手段と、
前記特定の記録手段に記録されている前記画像データに基づく画像を表示手段に表示させる際に、前記画像データに対応付けられた前記識別情報と前記タイトルとを前記表示手段に表示させる手段と、を少なくとも備えることを特徴とする管理装置。
【請求項７】
記録媒体に記録された画像データを管理する管理装置であって、
前記記録媒体から前記画像データと前記記録媒体の識別情報とを読み取る手段と、
前記画像データと前記識別情報とを対応付けて、特定の記録手段に記録させる手段と、
前記特定の記録手段に記録されている前記画像データに基づく画像を表示手段に表示させる際に、前記画像データに対応付けられた前記識別情報を、他の記録媒体に対応付けて記録された他の識別情報と識別可能に前記表示手段に表示させる手段と、を少なくとも備えることを特徴とする管理装置。
【請求項８】
記録媒体に記録された画像データを管理する管理装置であって、
前記記録媒体から前記画像データと前記記録媒体に対応するタイトルとを読み取る手段と、
前記画像データと前記タイトルとを対応付けて、特定の記録手段に記録させる手段と、
前記特定の記録手段に記録されている前記画像データに基づく画像を表示手段に表示させる際に、前記画像データに対応付けられた前記タイトルを、他の記録媒体に対応付けて記録された他のタイトルと識別可能に前記表示手段に表示させる手段と、を少なくとも備えることを特徴とする管理装置。
【請求項９】
記録媒体に画像データを記録する記録装置と、前記記録媒体に記録された画像データを管理する管理装置とを少なくとも備える管理システムであって、
前記管理装置に、
前記記録媒体から前記画像データと前記記録媒体の識別情報と前記記録媒体に対応するタイトルとを読み取る手段と、
前記画像データと前記識別情報と前記タイトルとを対応付けて、特定の記録手段に記録させる手段と、
前記特定の記録手段に記録されている前記画像データに基づく画像を表示手段に表示させる際に、前記画像データに対応付けられた前記識別情報と前記タイトルとを前記表示手段に表示させる手段と、を少なくとも備えることを特徴とする管理システム。
【請求項１０】
記録媒体に画像データを記録する記録装置と、前記記録媒体に記録された画像データを管理する管理装置とを少なくとも備える管理システムであって、
前記管理装置に、
前記記録媒体から前記画像データと前記記録媒体の識別情報とを読み取る手段と、
前記画像データと前記識別情報とを対応付けて、特定の記録手段に記録させる手段と、
前記特定の記録手段に記録されている前記画像データに基づく画像を表示手段に表示させる際に、前記画像データに対応付けられた前記識別情報を、他の記録媒体に対応付けて記録された他の識別情報と識別可能に前記表示手段に表示させる手段と、を少なくとも備えることを特徴とする管理システム。
【請求項１１】
記録媒体に画像データを記録する記録装置と、前記記録媒体に記録された画像データを管理する管理装置とを少なくとも備える管理システムであって、
前記管理装置に、
前記記録媒体から前記画像データと前記記録媒体に対応するタイトルとを読み取る手段と、
前記画像データと前記タイトルとを対応付けて、特定の記録手段に記録させる手段と、
前記特定の記録手段に記録されている前記画像データに基づく画像を表示手段に表示させる際に、前記画像データに対応付けられた前記タイトルを、他の記録媒体に対応付けて記録された他のタイトルと識別可能に前記表示手段に表示させる手段と、を少なくとも備えることを特徴とする管理システム。
【発明の詳細な説明】
【技術分野】
【０００１】
本発明は、記録媒体に記録された画像データを保存、管理するための管理プログラム及び管理装置並びに管理システムに関する。
【背景技術】
【０００２】
近年、写真に関連する様々なサービスが提供されるようになってきている。例えば、ユーザがデジタルカメラで写真を撮影し、デジタルカメラやデジタルカメラ用メディアをミニラボ等の写真店に持ち込み、店舗内に設けられた無人端末（キオスク）や店頭端末などを用いて、デジタルカメラやメディアに記録された画像データをＣＤ−Ｒ、ＤＶＤ−Ｒなどの記録媒体に書き込むことができる（例えば、特開平５−１８２３７３号公報等）。
【０００３】
また、ユーザがフィルムカメラで写真を撮影し、撮影済みのフィルムをミニラボ等の写真店に持ち込むと、写真店ではフィルムを現像した後、スキャナ等の読み取り装置を用いて画像データを読み取り、ＣＤ−Ｒ、ＤＶＤ−Ｒなどの記録媒体に書き込んでユーザに提供するサービスも行われている。
【０００４】
また、デジタルカメラやメディア、フィルムから読み取った画像データをＤＶＤプレーヤやＤＶＤレコーダ、ＨＤＤレコーダ、ゲーム機などの画像再生機器で再生可能なファイル形式の画像データに変換し、元の画像データと変換した画像データとをＣＤ−Ｒ、ＤＶＤ−Ｒなどの記録媒体に書き込むサービスも行われている。
【０００５】
上記サービスを利用することにより、デジタルカメラやメディア等に記録された画像データや画像再生機器用に変換された画像データなどが記録された記録媒体を入手することができ、更に、管理プログラムを用いて、複数の記録媒体に記録された画像データをコンピュータ機器のハードディスクなどにバックアップすることにより、画像データをいわゆる電子アルバムとして一括して保存、管理することができる。
【０００６】
ここで、従来より、記録媒体に記録された画像データを記録媒体単位で保存、管理する管理プログラムはあり、この管理プログラムを用いて、画像データを記録媒体単位で分類して表示することはできるが、従来の管理プログラムでは、画像データと画像データの記録元の記録媒体を特定する情報とは対応付けて記録、表示されないため、例えば、写真店に写真プリントの作成を依頼する場合には、表示されている画像の元となる画像データが記録されている記録媒体を特定しなければならず、そのためには多数の記録媒体を一旦コンピュータ機器に装填して画像データを表示させ、所望の画像データが記録されているかを確認しなければならないという問題があった。
【０００７】
また、画像データを間違って削除したり、何らかの理由で画像データが破損してしまった場合に、記録元の記録媒体から再度画像データを読み出そうとしても、該記録媒体を特定することができないため、やはり、多数の記録媒体を一旦コンピュータ機器に装填して画像データを表示させ、所望の画像データが記録されているかを確認しなければならないという問題があった。
【０００８】
また、このような問題は、写真画像に基づく静止画像データに限らず、デジタルムービーカメラなどで撮影して得られた動画データやインターネットなどを介して取得した音楽データ、コンテンツデータなどにおいても同様に生じる。
【０００９】
そこで、サムネイル画像とその画像が記録されていた記録媒体の識別情報とを対応付けてコンピュータのハードディスクなどに記録することが行われている（例えば、特開２００３−３１９３３０号公報等）。
【００１０】
【特許文献１】特開平５−１８２３７３号公報（第４−６頁、第３図）
【特許文献２】特開２００３−３１９３３０号公報（第７頁、第４図）
【発明の開示】
【発明が解決しようとする課題】
【００１１】
これにより、現在表示されているサムネイル画像が登録済みの複数の記録媒体のうち、どの記録媒体に格納されているかがわかるので、画像の検索性が向上する。
【００１２】
ところで、従来の技術における識別情報は色と４桁の数字からなる。この程度であれば登録済み識別情報を全て表示しても問題にはならない。反面、この程度の桁数であれば、個人で使用する範囲では問題ないものの、システム全体として識別情報を設定しようとするとどうしても桁数が多くなってしまい、桁数が増えることにより検索性が低下してしまう。
【００１３】
本発明は、上記問題点に鑑みてなされたものであって、その主たる目的は、画像データの記録元の記録媒体を簡単に判別することができる管理プログラム及び管理装置並びに管理システムを提供することにある。
【課題を解決するための手段】
【００１４】
上記目的を達成するため、本発明のプログラムは、記録媒体に記録された画像データを管理する管理プログラムであって、コンピュータを、前記記録媒体に記録されている画像データと前記記録媒体の識別情報と前記記録媒体に対応するタイトルとを対応付けて、特定の記録手段に記録させる手段、前記特定の記録手段に記録されている前記画像データに基づく画像を表示手段に表示させる際に、前記画像データに対応付けられた前記識別情報と前記タイトルとを前記表示手段に表示させる手段、として機能させるものである。
【００１５】
また、本発明のプログラムは、記録媒体に記録された画像データを管理する管理プログラムであって、コンピュータを、前記記録媒体に記録されている画像データと前記記録媒体の識別情報とを対応付けて、特定の記録手段に記録させる手段、前記特定の記録手段に記録されている前記画像データに基づく画像を表示手段に表示させる際に、前記画像データに対応付けられた前記識別情報を、他の記録媒体に対応付けて記録された他の識別情報と識別可能に前記表示手段に表示させる手段、として機能させるものであり、本発明においては、前記識別情報は主要部分と付属部分とからなり、現在表示されている画像の基となる前記画像データに対応付けられた前記識別情報に対しては、前記主要部分と前記付属部分とを表示させ、前記他の識別情報に対しては、前記主要部分のみを表示させる構成とすることができる。
【００１６】
また、本発明のプログラムは、記録媒体に記録された画像データを管理する管理プログラムであって、コンピュータを、前記記録媒体に記録されている画像データと前記記録媒体に対応するタイトルとを対応付けて、特定の記録手段に記録させる手段、前記特定の記録手段に記録されている前記画像データに基づく画像を表示手段に表示させる際に、前記画像データに対応付けられた前記タイトルを、他の記録媒体に対応付けて記録された他のタイトルと識別可能に前記表示手段に表示させる手段、として機能させるものであり、本発明においては、現在表示されている画像の基となる前記画像データに対応付けられた前記タイトルに対しては、その全てを表示させ、前記他のタイトルに対しては、その一部の文字列を省略して表示させる構成とすることができる。
【００１７】
また、本発明の装置は、記録媒体に記録された画像データを管理する管理装置であって、前記記録媒体から前記画像データと前記記録媒体の識別情報と前記記録媒体に対応するタイトルとを読み取る手段と、前記画像データと前記識別情報と前記タイトルとを対応付けて、特定の記録手段に記録させる手段と、前記特定の記録手段に記録されている前記画像データに基づく画像を表示手段に表示させる際に、前記画像データに対応付けられた前記識別情報と前記タイトルとを前記表示手段に表示させる手段と、を少なくとも備えるものである。
【００１８】
また、本発明の装置は、記録媒体に記録された画像データを管理する管理装置であって、前記記録媒体から前記画像データと前記記録媒体の識別情報とを読み取る手段と、前記画像データと前記識別情報とを対応付けて、特定の記録手段に記録させる手段と、前記特定の記録手段に記録されている前記画像データに基づく画像を表示手段に表示させる際に、前記画像データに対応付けられた前記識別情報を、他の記録媒体に対応付けて記録された他の識別情報と識別可能に前記表示手段に表示させる手段と、を少なくとも備えるものである。
【００１９】
また、本発明の装置は、記録媒体に記録された画像データを管理する管理装置であって、前記記録媒体から前記画像データと前記記録媒体に対応するタイトルとを読み取る手段と、前記画像データと前記タイトルとを対応付けて、特定の記録手段に記録させる手段と、前記特定の記録手段に記録されている前記画像データに基づく画像を表示手段に表示させる際に、前記画像データに対応付けられた前記タイトルを、他の記録媒体に対応付けて記録された他のタイトルと識別可能に前記表示手段に表示させる手段と、を少なくとも備えるものである。
【００２０】
また、本発明のシステムは、記録媒体に画像データを記録する記録装置と、前記記録媒体に記録された画像データを管理する管理装置とを少なくとも備える管理システムであって、前記管理装置に、前記記録媒体から前記画像データと前記記録媒体の識別情報と前記記録媒体に対応するタイトルとを読み取る手段と、前記画像データと前記識別情報と前記タイトルとを対応付けて、特定の記録手段に記録させる手段と、前記特定の記録手段に記録されている前記画像データに基づく画像を表示手段に表示させる際に、前記画像データに対応付けられた前記識別情報と前記タイトルとを前記表示手段に表示させる手段と、を少なくとも備えるものである。
【００２１】
また、本発明のシステムは、記録媒体に画像データを記録する記録装置と、前記記録媒体に記録された画像データを管理する管理装置とを少なくとも備える管理システムであって、前記管理装置に、前記記録媒体から前記画像データと前記記録媒体の識別情報とを読み取る手段と、前記画像データと前記識別情報とを対応付けて、特定の記録手段に記録させる手段と、前記特定の記録手段に記録されている前記画像データに基づく画像を表示手段に表示させる際に、前記画像データに対応付けられた前記識別情報を、他の記録媒体に対応付けて記録された他の識別情報と識別可能に前記表示手段に表示させる手段と、を少なくとも備えるものである。
【００２２】
また、本発明のシステムは、記録媒体に画像データを記録する記録装置と、前記記録媒体に記録された画像データを管理する管理装置とを少なくとも備える管理システムであって、前記管理装置に、前記記録媒体から前記画像データと前記記録媒体に対応するタイトルとを読み取る手段と、前記画像データと前記タイトルとを対応付けて、特定の記録手段に記録させる手段と、前記特定の記録手段に記録されている前記画像データに基づく画像を表示手段に表示させる際に、前記画像データに対応付けられた前記タイトルを、他の記録媒体に対応付けて記録された他のタイトルと識別可能に前記表示手段に表示させる手段と、を少なくとも備えるものである。
【００２３】
このように、本発明の構成によれば、画像データは記録媒体単位で保存、管理され、かつ、記録媒体単位の画像データと記録媒体の識別情報又は記録媒体に対応するタイトルの少なくとも一方とが対応付けて記録、表示されるため、画像データの記録元の記録媒体を簡単に判別することができる。
【発明の効果】
【００２４】
本発明の管理プログラム及び管理装置並びに管理システムによれば、画像データの記録元の記録媒体を簡単に判別することができる。
【００２５】
その理由は、管理プログラム及び管理装置並びに管理システムにより複数の画像データは記録媒体単位で保存、管理されており、かつ、記録媒体単位の画像データと該記録媒体の識別情報又は記録媒体に対応するタイトルの少なくとも一方とが対応付けてハードディスクなどの記録手段に記録され、また、表示手段に表示されるため、例えば、記録媒体を用いて写真プリントを作成したり、記録媒体から再度画像データを読み取る場合などでも、画像データに対応付けられた識別情報又はタイトルを読み取ることにより、該画像データの記録元の記録媒体を簡単に判別することができるからである。
【発明を実施するための最良の形態】
【００２６】
本発明に係る管理プログラムは、その好ましい一実施の形態において、記録媒体に記録された複数の画像データを記録媒体単位でハードディスクなどの記録手段に保存、管理する管理プログラムにおいて、コンピュータを、記録媒体の識別情報と記録媒体に対応するタイトルとを、記録媒体に記録されている画像データに対応付けて、特定の記録手段に記録させる手段、特定の記録手段に記録されている画像データに基づく画像を表示手段に表示させる際に、画像データに対応付けられた識別情報とタイトルとを表示手段に表示させる手段として機能させるものであり、管理プログラムにより登録されている画像データの記録元の記録媒体を簡単に判別することができるため、その記録媒体を用いて写真プリントを作成したり、その記録媒体から再度画像データを読み取る際の作業性を格段に向上させることができる。
【実施例】
【００２７】
上記実施形態について詳細に説明すべく、本発明の一実施例に係る管理プログラム及び管理装置並びに管理システムについて、図１乃至図１１を参照して説明する。図１は、本発明の一実施例に係る記録装置及びデータ管理装置の構成を模式的に示す図である。また、図２乃至図５は、データ管理装置の他の構成を模式的に示す図であり、図６は、データ管理装置の手段を示すブロック図である。また、図７は、記録装置を用いた記録媒体の作成手順を示すフローチャート図であり、図８は、データ管理装置を用いた画像データの保存手順を示すフローチャート図である。また、図９及び図１０は、データの記録構造を示す図であり、図１１は、データ管理装置の表示手段に表示される画面構成例を示す図である。なお、本明細書及び特許請求の範囲における論理アドレス領域とは、ユーザのデータ（プログラム）が記録される領域であり、ユーザデータの配置情報が記録されるプログラムメモリ領域、リードイン・ＴＯＣ領域やリードアウト領域などの情報領域、ディスクの応用コードやレーザ記録パワーの推奨値、その他の情報が記録される案内溝変調（ＡＴＩＰ：Absolute Time In Pre-groove）情報の領域は含まず、また、論理アドレス領域外とは上記論理アドレス領域以外の領域を指すものとする。
【００２８】
図１に示すように、本実施例の管理システムは、記録媒体９を作成する記録装置１と、該記録媒体９に記録された画像データを保存、管理し、また、表示するデータ管理装置１０とからなり、記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１５を介してサーバ１６から画像データなどをダウンロードするネットワーク接続部等の入力制御手段と、メディア８やデジタルカメラ７から読み取った、又はサーバ１６からダウンロードした画像データやＤＶＤプレーヤやＤＶＤレコーダ、ＨＤＤレコーダ、ゲーム機などで再生可能な形式に変換された画像データなどが記録されるＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体９を装填する記録媒体装填部４と、ボタン、キーボード、マウス等の操作手段６及びＬＣＤ、ＣＲＴ等の表示手段５（図では操作手段６と表示手段５とを兼ね備えるタッチパネルを示している。）とを備えている。
【００２９】
また、データ管理装置１０は、少なくとも、記録媒体９を装填する記録媒体装填部１４と画像データを保存する記録手段（内部のハードディスク１１としてもよいし、外付けされたハードディスクやデータ管理装置１０にネットワーク接続されたホームサーバやｗｅｂサーバなどとしてもよい。）とを備えている。このデータ管理装置１０の手段をブロック図で示すと図６に示すようになる。すなわち、記録媒体装填部１４に装填された記録媒体９から画像データや該記録媒体９を特定する情報（以下、識別情報と呼ぶ。）、記録媒体９に対応するタイトルなどを読み取る入力制御手段１７と、ハードディスク１１などの記録手段に画像データと識別情報又はタイトルの少なくとも一方とを対応付けて記録する記録制御手段１８と、モニタ等の表示手段１２に画像データと識別情報又はタイトルの少なくとも一方とを対応付けて表示させる表示制御手段１９と、キーボード、マウス等の操作手段１３及びＬＣＤ、ＣＲＴ等の表示手段１２とを備えている。
【００３０】
なお、上記各手段はデータ管理装置１０にハードウェアとして構成されていてもよいし、コンピュータを、少なくとも、記録制御手段１８又は表示制御手段１９として機能させる管理プログラムとして構成し、該管理プログラムをデータ管理装置１０にインストールして実行する構成としてもよい。また、図１ではデータ管理装置１０としてパーソナルコンピュータを用いる場合を示しているが、データ管理装置１０の形態も任意であり、例えば、図２に示すように専用のセットトップボックスとしたり、図３に示すようにポータブルライターとしたり、図４に示すように演算処理手段を備えるＨＤＤレコーダやＤＶＤレコーダ、ゲーム機としたり、図５に示すように、演算処理手段を備えるカーナビゲーション装置などとすることもできる。
【００３１】
以下、データ管理装置１０を用いて画像データを保存、管理する手順について説明するが、その前に、発明の理解を容易にするために、記録装置１を用いて記録媒体９を作成する手順について、図７のフローチャート図を参照して説明する。
【００３２】
まず、ステップＳ１０１で、記録装置１のメディア装填部２にメディア８を装填、又は、機器接続部３にデジタルカメラ７やカメラ付き携帯電話機７ａを接続、又はネットワーク接続部を通信ネットワーク１５に接続すると共に、記録媒体装填部４に記録媒体９を装填する。なお、記録媒体９はデータが記録されていないものを用いてもよいし、管理プログラムやスライドショープログラムなどの他のプログラム、音楽データなどが予め記録された記録媒体をユーザが購入する構成としてもよい。次に、ステップＳ１０２で、デジタルカメラ７やメディア８に記録された画像データ（静止画像データや動画データ、画像情報を含むデータなどを総称して画像データと呼ぶ。）やサーバ１６に記録された画像データを読み取り、必要に応じて、表示手段５や操作手段６を用いて記録媒体９に記録する画像データを選択する。また、必要に応じて、操作手段６を用いて記録媒体９に対応するタイトルを入力する。
【００３３】
次に、ステップＳ１０３で、必要に応じて、画像データを音楽付きスライドショーとして再生するためのＢＧＭとして利用する音楽データをメディア８やサーバ１６、記録装置１の記憶手段などから読み取る。この音楽データはユーザが選択してもよいし、予めデフォルトとして設定された音楽データを用いてもよい。
【００３４】
次に、ステップＳ１０４で、必要に応じて、読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができる。
【００３５】
次に、ステップＳ１０５で、必要に応じて、読み取った画像データをＤＶＤプレーヤやＤＶＤレコーダ、ＨＤＤレコーダ、ゲーム機等の画像再生機器で読み取り可能な動画データ（Ｖｉｄｅｏ−ＣＤ形式、ＤＶＤ−Ｖｉｄｅｏ形式、ＨＤＴＶ形式などのデータ）に変換する。なお、画像データから動画データを作成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
【００３６】
次に、入力された画像データや作成された縮小画像データ、変換された動画データを記録媒体９に記録するが、その際、任意の記録媒体９に対してデータの記録ができるようにしてもよいし、正規に作成された記録媒体９に対してのみデータの記録を許可するようにしてもよい。後者の場合は、例えば、ステップＳ１０６で、記憶手段に予め記憶された位置情報（例えば、物理アドレス）を参照して、該位置に予め特定の識別情報が書き込まれているか否かを判断し、識別情報が書き込まれている場合にのみデータの記録を開始する構成とすることができる。
【００３７】
その場合、上記識別情報は不正なデータの記録を防止するために設けるものであるため、識別情報の記録場所や中身が容易に知られてしまうと識別情報自体もコピーされてしまい、不正なデータの記録を防止することができなくなってしまうため、識別情報の少なくとも一部はコンピュータのＯＳではアクセスできない領域（すなわち、論理アドレス領域外）、具体的にはディスク型記録媒体の論理アドレス領域の内側の領域に書き込まれていることが好ましい。
【００３８】
なお、識別情報の具体的な構成は任意であるが、上記したように記録媒体９の論理アドレス領域外にはメーカの名称が予め記録されていることから、このメーカの名称と記録媒体９に対して付与される番号とを識別情報として用いることにより、記録媒体９が正規に作成されたものか否かを簡単かつ確実に識別することができる。
【００３９】
そして、識別情報が書き込まれている記録媒体９にデータを記録するが、画像再生機器ではデータを読み込むことができる記録領域が限定されるため、ステップＳ１０７で、変換された動画データや関連付けファイル等（以下、これらを総称して画像再生機器用データ群と呼ぶ。）を予め設けた書き込み用の所定のフォルダに転送した後、該フォルダから画像再生機器用データ群を読み出して、記録媒体９の論理アドレス領域の内側に記録する。その後、ステップＳ１０８で、必要に応じて、コンピュータ機器用のデータの記録を行う前に、画像再生機器で使用可能なデータの領域を区分するために一旦セッションをクローズする。
【００４０】
次に、ステップＳ１０９で、画像データと必要に応じてスライドショープログラムなどのアプリケーションや設定ファイル、情報ファイル、音楽データなど（以下、これらを総称してコンピュータ機器用データ群と呼ぶ。）を予め設けた書き込み用の所定のフォルダに転送した後、該フォルダからコンピュータ機器用データ群を読み出して、記録媒体９に先に記録された画像再生機器用データ群の外側に記録して一連の書き込み処理を終了する。
【００４１】
上記手順で作成された記録媒体９の記録構造は、例えば、図９に示すようになり、コンピュータ機器用データ群は、”PS_Roll”フォルダ内の画像データ、サムネイル画像データ、スクリーンネイル画像データなどの複数の種別の画像データ（画像データ群）と、記録媒体９の識別情報やタイトルなどが記録された情報ファイル（info.txt）、”APPL”フォルダ内のスライドショープログラム、スライドショーの設定ファイル、自動起動ファイル（Autorun.inf）などの他のデータ群とで構成され、画像再生機器用データ群は、Ｖｉｄｅｏ−ＣＤ形式のデータの場合は、図９（ａ）に示すように、”VCD”フォルダ内の画像データをＶｉｄｅｏ−ＣＤ形式データとして関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで構成され、ＤＶＤ−Ｖｉｄｅｏ形式のデータの場合は、図９（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などで構成される。
【００４２】
上記画像データ群の記録構造は任意であるが、画像データ群をデータ管理装置１０などにバックアップした場合における管理を容易にするために、予め定められたルールに従ってフォルダを構成し、そのフォルダにユニークな名称を付与することが好ましい。例えば、図９に示すように、画像データの格納場所を示すフォルダ（PS_Roll）の下位の階層にメディア８毎、機器毎、フィルム毎の画像データの格納場所を示すフォルダ（ROYYMMDDyyy_XXXXXXAABxxx、ここではRO030416001_12345601C001）を作成し、各々の要素を、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号などとしたり、各々のデータをCCYYMMDDxxxxxx（CC：データの種別、YYMMDD：書き込み年月日を特定する数字、xxxxxx：シーケンシャル番号）などにリネームすることもできる。
【００４３】
次に、上記記録装置１で作成された記録媒体９に記録された画像データ群を保存、管理する手順について、図８のフローチャート図を参照して説明する。なお、ここでは画像データ群をデータ管理装置１０のハードディスク１１に保存、管理する場合について記載するが、画像データ群を保存、管理する領域は任意であり、データ管理装置１０にネットワーク接続されたホームサーバやｗｅｂサーバなどに保存、管理してもよい。
【００４４】
まず、ステップＳ２０１で、記録媒体９をデータ管理装置１０の記録媒体装填部１４に装填すると、ステップＳ２０２で、入力制御手段１７は、記録媒体９から画像データと該記録媒体９の識別情報又は記録媒体９に対応するタイトルの少なくとも一方とを読み取る。その際、記録媒体９に記録されている全ての画像データを読み取ってもよいし、記録媒体９に記録されている画像データの一部が既にデータ管理装置１０に記録されている場合は、差分の画像データのみを読み取るようにしてもよい。また、タイトルが記録媒体９に記録されていない場合は、必要に応じて、操作手段１３を用いてタイトルを入力する。次に、ステップＳ２０３で、読み出した画像データのファイルが破損していないかなどのファイルチェックを行い、その後、ステップＳ２０４で、記録制御手段１８を用いて、該画像データと記録媒体９の識別情報又はタイトルの少なくとも一方とを対応付けてハードディスク１１などの記録先に記録する。
【００４５】
上記手順で保存された画像データの記録構造は任意であるが、画像データの管理を容易にするために、記録媒体９に図９に示すようなデータ構造で画像データが記録されている場合はそのデータ構造を維持して記録されることが好ましい。その場合、ハードディスク１１における画像データの記録構造は図１０に示すようになり、ハードディスク１１の任意の記録位置に、画像データの格納場所を示すフォルダ（PS_Roll）が作成され、その下位の階層には、既に登録済みの画像データが保存、管理されているフォルダ（ROYYMMDDyyy_XXXXXXAABxxx）に加えて、新たに追加された画像データの格納場所を示すフォルダ（ここでは、RO030416001_12345601C001）が作成され、そのフォルダ内にオリジナルの画像データ（OR030416000001.jpg〜OR030416000010.jpg）が格納され、更に、サムネイル画像データの格納場所を示すフォルダ（THM）内にサムネイル画像データ（TH030416000001.jpg〜TH030416000010.jpg）、スクリーンネイル画像データの格納場所を示すフォルダ（SCREEN）内にスクリーンネイル画像データ（SC030416000001.jpg〜SC030416000010.jpg）が格納され、また、記録媒体９の識別情報やタイトルなどが記録された情報ファイル（info.txt）も格納される。また、PS_Rollフォルダの上位の階層に、移住してきた画像データの格納場所を示すフォルダ（PSYYMMDDyyy_XXXXXXAAB：YYMMDD、yyy、XXXXXX、AA、Bの意味は上記と同様）などを作成してもよい。
【００４６】
次に、ステップＳ２０５で、ハードディスク１１に保存、管理されている画像データを明確にするために、情報ファイルに記述した情報をデータベースとして登録する。このデータベースの内容は特に限定されないが、例えば、アルバム情報が記述されたアルバムテーブル、各々の画像データ群（ロール）の情報が記述されたロールテーブル、各々の画像データの情報が記述されたファイルテーブル、ｅｘｉｆ形式の画像データの情報が記述されたｅｘｉｆテーブルなどで構成することができる。
【００４７】
また、アルバムテーブルは、記録媒体９の識別情報（アルバムＩＤ）、記録媒体９のタイトル（アルバムタイトル）、撮影日時情報、保存された画像データの種別（例えば、オリジナルの画像データが記録されているか、縮小画像データのみが記録されているかなど）を示すアルバムステータス、アルバムがお気に入り登録されているか否かを示すアルバム種、アルバム内の画像データがリンクされているか否かを示すアルバムリンクなどで構成され、ロールテーブルは、アルバムＩＤ、画像データ群（ロール）の識別情報（ロールＩＤ）、ロール内の画像データの数量を示す総画像数、ロールの作成日時情報などで構成され、ファイルテーブルは、ロールＩＤ、ファイル名、フレームナンバー、ファイルの種類、ファイルの保存先、画像が回転されているか否かを示す回転情報、ファイルがリンクされているか否かを示すファイルリンク、オリジナルの画像データがあるか否かを示す保存ステータスなどで構成され、ｅｘｉｆテーブルは、ロールＩＤ、ファイル名撮影日時情報、画像タイトル、画像メモなどで構成される。
【００４８】
次に、ステップＳ２０６で、ハードディスク１１に記録された画像データに基づく画像を表示させるが、従来の管理プログラムには、画像データを記録媒体９単位で表示させるものはあっても、画像データと共に記録元の記録媒体９の識別情報を表示させるものはなかったため、表示されている画像の元となる画像データが記録されている記録媒体９を特定することができなかった。そこで、本実施例では、画像データに基づく画像と該画像データが記録されている記録媒体９との対応が判別できるように、以下のような画面を表示させる。
【００４９】
具体的には、表示制御手段１９は、表示手段１２に図１１に示すような画像表示画面２０を表示させる。この画像表示画面２０には、例えば、画像データ群を識別するためのタグ表示欄２１と、記録媒体単位で保存、管理されている画像データに基づくサムネイル画像が一覧形式で表示される画像表示欄２２と、画像データを用いた処理が選択可能に表示される作業メニュー欄２３などが設けられており、タグ表示欄２１には画像データ群に対応付けて記録媒体９の識別情報（ここでは”０４２Ｆ００１”や”０３８Ａ００１”など）が表示されると共に、画像表示欄２２には現在表示されている画像の元となる画像データに対応付けられた記録媒体９の識別情報（ここでは、アルバムＩＤ欄の”０４２Ｆ００１１２３４５６０１Ｃ”など）が表示される。なお、タグ表示欄２１と画像表示欄２２のアルバムＩＤ欄に同じ識別情報を表示してもよいが、識別情報をYYMDyyyXXXXXXAAB（YYMD：記録媒体９の作成年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z））とした場合に、識別情報は主要部分（例えば、YYMDyyyの部分）と付属部分（例えば、XXXXXXAABの部分）とに分けることができ、他の記録媒体９と識別するためには主要部分のみを表示すれば十分であり、記録媒体９を詳細に特定するためには主要部分と付属部分の双方を表示した方がよいことから、図１１に示すように、タグ表示欄２１には識別情報の主要部分のみを表示し、画像表示欄２２のアルバムＩＤ欄には識別情報の主要部分と付属部分の双方を表示することが好ましい。
【００５０】
また、必要に応じて、タグ表示欄２１には、記録媒体９の識別情報と共に画像データの撮影年月日などの日時情報やアルバムタイトル（ここでは、○○旅行や××旅行など）が表示されると共に、画像表示欄２２には現在表示されている画像の元となる画像データに対応付けられたアルバムタイトル（ここでは、アルバムタイトル欄の”○○旅行にて●●山を撮影”など）が表示され、簡単に所望の記録媒体９が選択できるようにしている。なお、タグ表示欄２１と画像表示欄２２のアルバムタイトル欄に同じアルバムタイトルを表示してもよいが、他の記録媒体９に記録された画像データと識別するためにはアルバムタイトルの主要部分のみを表示すれば十分であり、記録媒体９に記録された画像データを詳細に識別するためにはアルバムタイトルの全てを表示した方がよいことから、図１１に示すように、タグ表示欄２１にはアルバムタイトルの主要部分のみを表示し、画像表示欄２２のアルバムタイトル欄にはアルバムタイトルの全てを表示することが好ましい。また、画像表示欄２２には、記録媒体単位で保存、管理されている画像データに基づく画像を一覧形式で表示するための枠が配列され、その下側には画像の表示形式を変更するための各種ボタンが設けられている。また、作業メニュー欄２３には、画像表示欄２２に表示された画像を用いて新しい記録媒体を作成したり複製するボタンや、画像データをお気に入り登録するボタン、画像データを電子メールで送信するためのボタン、画像を家庭用プリンタや写真店でプリントするためのボタンなどが設けられている。
【００５１】
なお、図１１では、タグ表示欄２１と画像表示欄２２の双方に記録媒体９の識別情報やアルバムタイトルを表示しているが、記録媒体９の識別情報やアルバムタイトルは画像表示画面２０の任意の場所に少なくとも一つ表示されていればよい。また、ここでは図９に示す記録媒体９のボリュームラベルを図１１の画像表示画面２０に表示させる構成としているが、画像表示画面２０に表示される識別情報は記録媒体９を特定できる情報であればよく、記録媒体９のボリュームラベルと同じである必要はない。
【００５２】
そして、タグ表示欄２１から所望の記録媒体９を選択して画像データを表示させた後、ステップＳ２０７で、作業メニュー欄２３から所望の作業を選択して各種処理を実行する。ここで、データ管理装置１０を用いて各種処理（新たなＣＤの作成やＣＤの複製、メール送信、プリンタ出力など）を行う場合はハードディスク１１に記録された画像データを用いればよいが、上述したように、写真店で写真プリントを作成する場合は画像データが記録されている記録媒体９が必要であり、従来はどの記録媒体に所望の画像データが記録されているかを判別することはできなかったが、本実施例では、タグ表示欄２１や画像表示欄２２に記録媒体９の識別情報やアルバムタイトルが表示されているため、簡単に所望の記録媒体９を特定することができる。また、何らかの理由で画像データが削除されたり、破損している場合にも記録元の記録媒体９が必要になるが、その場合にもタグ表示欄２１や画像表示欄２２に表示されている記録媒体９の識別情報やアルバムタイトルを用いて簡単に所望の記録媒体９を特定することができる。
【００５３】
このように、本実施例では、データ管理装置１０のハードディスク１１などの記録先に記録媒体９単位で画像データが保存、管理されている構成において、ハードディスク１１などの記録手段に画像データと記録媒体９の識別情報又は記録媒体９のタイトル（アルバムタイトル）の少なくとも一方とが対応付けて記録され、また、画像表示画面２０には画像データに基づく画像と共に記録媒体９の識別情報又はアルバムタイトルの少なくとも一方が表示されるため、この識別情報やアルバムタイトルを用いて所望の画像データが記録されている記録媒体９を簡単に特定することができ、管理プログラムを用いた画像データの保存、管理の利便性を向上させることができる。
【００５４】
なお、上記実施例では、管理プログラムにより画像データを管理する場合について記載したが、本発明は上記実施例に限定されるものではなく、管理プログラムにより音楽データやコンテンツなどの他の種類のデータを管理する場合についても同様に適用することができる。
【図面の簡単な説明】
【００５５】
【図１】本発明の一実施例に係る記録装置及びデータ管理装置の構成を模式的に示す図である。
【図２】本発明の一実施例に係るデータ管理装置の他の構成を示す図である。
【図３】本発明の一実施例に係るデータ管理装置の他の構成を示す図である。
【図４】本発明の一実施例に係るデータ管理装置の他の構成を示す図である。
【図５】本発明の一実施例に係るデータ管理装置の他の構成を示す図である。
【図６】本発明の一実施例に係るデータ管理装置の手段を示すブロック図である。
【図７】本発明の一実施例に係る記録装置を用いた記録媒体の作成手順を示すフローチャート図である。
【図８】本発明の一実施例に係るデータ管理装置を用いた画像データの保存、表示手順を示すフローチャート図である。
【図９】本発明の一実施例に係る記録媒体におけるデータの記録構造を示す図である。
【図１０】本発明の一実施例に係るデータ管理装置のハードディスクにおけるデータの記録構造を示す図である。
【図１１】本発明の一実施例に係るデータ管理装置の表示手段に表示される画面構成例を示す図である。
【符号の説明】
【００５６】
１  記録装置
２  メディア装填部
３  機器接続部
４  記録媒体装填部
５  表示部
６  操作部
７  デジタルカメラ
７ａ  カメラ付き携帯電話機
８  メディア
９  記録媒体
１０  データ管理装置
１１  ハードディスク
１２  表示手段
１３  操作手段
１４  記録媒体装填部
１５  通信ネットワーク
１６  サーバ
１７  入力制御手段
１８  記録制御手段
１９  表示制御手段
２０  画像表示画面
２１  タグ表示欄
２２  画像表示欄
２３  作業メニュー欄
２４  種別選択画面
【図１】
2006005917.tif 000003
【図２】
2006005917.tif 000004
【図３】
2006005917.tif 000005
【図４】
2006005917.tif 000006
【図５】
2006005917.tif 000007
【図６】
2006005917.tif 000008
【図７】
2006005917.tif 000009
【図８】
2006005917.tif 000010
【図９】
2006005917.tif 000011
【図１０】
2006005917.tif 000012
【図１１】
2006005917.tif 000013